(57)【要約】【課題】  コンクリートを打設固化後の撤去が容易に行え、かつ、再使用可能な貫通孔形成用型装置を提供する。建設現場において組み立てが行えて搬送や取り扱いに手間がかからないとともに、広い保管スペースを必要としない貫通孔形成用型装置を提供する。【解決手段】  パネル２を巻き状態とすることで形成される筒体３と、筒体３の外周にその筒形態を維持するように装着される環状帯部材５と、その直径を可変とする筒体３に内嵌装着される環状固定部材７とからなり、環状固定部材７が拡径されることで環状帯部材５との間に筒体３を所定の貫通孔形態として挟持する貫通孔形成用型装置。【選択図】図１
0003160956.tif 000002
【実用新案登録請求の範囲】
【請求項１】
パネルを巻き状態とすることで形成される筒体と、前記筒体の外周にその筒形態を維持するように装着される環状帯部材と、その直径を可変とする前記筒体に内嵌装着される環状固定部材とからなり、
前記環状固定部材が拡径されることで前記環状帯部材との間に前記筒体を所定の貫通孔形態として挟持する貫通孔形成用型装置。
【請求項２】
前記パネルが薄肉鉄板よりなり、前記環状帯部材が鉄製環状バンドよりなり、前記環状固定部材がターンバックル付鉄製環体よりなる請求項１記載の貫通孔形成用型装置。
【請求項３】
コンクリート建造物における人通口形成用である請求項１または２記載の貫通孔形成用型装置。
【考案の詳細な説明】
【技術分野】
【０００１】  この考案は、コンクリート建造物における人通口形成等のために用いる貫通孔形成用型装置に関する。
【背景技術】
【０００２】  コンクリート建造物の地下室の地中梁には避難時等に隣スペースへの移動のための人通口が設けられている。この人通口は型枠パネル間に管体よりなる貫通穴形成用型を配置し、コンクリートを打設固化後にその管体を撤去して形成している。
【考案の概要】
【考案が解決しようとする課題】
【０００３】  上記管体の撤去は管体を破損して解体することで行うので、その管体は使い捨てとなってコストが高くついた。また、その撤去作業に手間のかかる問題があった。最近では、管体にメッキを施すことで撤去することなくそのままコンクリート建造物と一体に残すことも行われているが、やはりコストが高くついた。さらに、人通口は直径６０ｃｍと大きいので用いる管体も大きく、マンション等の建設現場ではそれを多数必要とするので、その搬送や取り扱いに手間がかかり、また、その保管に広いスペースを必要とした。【０００４】  この考案は上記の点に鑑みて行ったもので、コンクリートを打設固化後の撤去が容易に行え、かつ、再使用可能な貫通孔形成用型装置を提供することを目的とする。また、建設現場において組み立てが行えて搬送や取り扱いに手間がかからないとともに、広い保管スペースを必要としない貫通孔形成用型装置を提供することを目的とする。
【課題を解決するための手段】
【０００５】  この考案では、パネルを巻き状態とすることで形成される筒体と、前記筒体の外周にその筒形態を維持するように装着される環状帯部材と、その直径を可変とする前記筒体に内嵌装着される環状固定部材とからなり、前記環状固定部材が拡径されることで前記固定バンドとの間に前記筒体を所定の貫通孔形態として挟持する貫通孔形成用型装置を提供する。【０００６】  上記構成によれば、コンクリート打設固化後の撤去に際し、環状固定部材の径を小さくすることでその押圧力が解除され、パネルを巻き状態とすることで形成されている筒体が縮径して取り外すことができ、これにより、環状固定部材及び筒体が再使用できる。また、貫通孔形成用型装置がパネルよりなる筒体、環状帯部材及び環状固定部材よりなり建築現場において組み立てられるので、分解された嵩高くない形態において搬送や取り扱いが行え、また、保管できる。【０００７】  例えば、パネルとしては薄肉鉄板を、環状帯部材としては鉄製環状バンドを、環状固定部材としてはターンバックル付鉄製環体を使用することで、構造が強固で、かつ、組み立て性能、分解性能に優れる貫通孔形成用型装置が得られる。また、この考案の貫通孔形成用型装置は、コンクリート建造物における人通口形成用として好適に使用される。
【考案の効果】
【０００８】  この考案によれば、コンクリートを打設固化後の撤去が容易に行え、かつ、再使用可能な貫通孔形成用型装置が得られ、これにより、貫通孔形成の作業効率が向上するとともに、建設コストも低減される。また、建設現場において組み立てが行えることで、従来の管体形状の貫通孔形成用型のように搬送や取り扱いに手間がかからず、また、広い保管スペースを必要としない。
【図面の簡単な説明】
【０００９】
【図１】  この考案の人通口形成用型装置の斜視図
【図２】  この考案の人通口形成用型装置の分解斜視図
【図３】  この考案の人通口形成用型装置の部分拡大斜視図
【図４】  この考案の人通口形成用型装置の使用説明断面図
【考案を実施するための形態】
【００１０】  図１はこの考案の貫通孔形成用型装置である人通口形成用型装置の斜視図、図２は同分解斜視図である。
【００１１】  人通口形成用型装置１は、薄肉鉄板よりなるパネル２が巻き状態とされて形成される筒体３と、筒体３の外周にその筒形態を維持するように装着される３本の鉄製環状バンド５と、その直径を可変とし筒体３の両端位置に内嵌装着される一対の環状固定部材７とからなる。環状固定部材７は開放部８を持つ断面Ｌ字片の鉄製環体９とその開放部８で相対する端部１１どうしを連結するターンバックル１３とからなる。図３に示すように、環状固定部材７の端部１１それぞれの近傍にはＬ字型の固定片１５のそれぞれが溶接により固定され、その固定片１５それぞれにターンバックル１３のボルト１７それぞれの端部がネジ１９それぞれで固定されている。
【００１２】  人通口形成用型装置１は、パネル２が巻き状態とされて筒体３とされるとともにその周囲の３箇所に鉄製環状バンド５が装着され、その両端開口縁に環状固定部材７が嵌入装着され、ターンバックル１３の胴部１４が回転されることで鉄製環体９の端部１１それぞれが互いに離反される。これにより鉄製環体９はその径が大きくなることで対応する位置にある鉄製環状バンド５との間に筒体３を所定の貫通孔形態として挟持する。
【００１３】  図４を参照して人通口形成用型装置１の使用について説明する。２０のそれぞれはその間に地中梁を建造する型枠パネルであり、その内面間に人通口形成用型装置１が鉄筋構造体等に固定されることで水平に配置される。人通口形成用型装置１は建設現場において組み立てられる。
【００１４】  型枠パネル２０間にコンクリートが流入固化された後に型枠パネル２０それぞれが取り外される。次に人通口形成用型装置１の両端開口においてターンバックル１３の胴部１４を回転して鉄製環体９の端部１１それぞれを互いに引き付け、これにより鉄製環体９の径を小さくして鉄製環体９を筒体３内面から外して環状固定部材７を取り外す。この環状固定部材７の取り外しにより内面からの押圧力が解除されることで筒体３は弾力的に縮径して建造物に形成される人通口の内面から離脱し、これにより筒体３は容易に取り外される。取り外された環状固定部材７とパネル形態となった筒体３とは再使用される。
【符号の説明】
【００１５】１    人通口形成用型装置（貫通孔形成用型装置）
２    パネル
３    筒体
５    鉄製環状バンド（環状帯部材）
７    環状固定部材
【図１】
0003160956.tif 000003
【図２】
0003160956.tif 000004
【図３】
0003160956.tif 000005
【図４】
0003160956.tif 000006